(57)【要約】  【課題】  必要な情報を利用者ごとに伝達することができ、効率的な情報の伝達が可能な情報表示装置を提供することを課題とする。    【解決手段】  本発明の情報表示装置１には、所定のデータに基づいて情報が表示される第１表示部１１と、利用者入力検知部１６による検知結果を基に、所定のデータに基づいて情報が表示される第２表示部１２が設けられている。そして、利用者は、第１表示部１１に表示された情報を見て、その中に必要な情報や有益な情報があった場合には、第２表示部１２に情報を表示させて詳細な情報を確認する。利用者が第２表示部１２に情報を表示させる場合には、第２表示部１２に触れて利用者入力検知部１６に検知させることにより表示を切り換える。【選択図】  図１
2005338743.tif 000002
【特許請求の範囲】
【請求項１】
第１表示部、第２表示部及び利用者入力検知部を有し、前記第１表示部にはデータ記録手段又はデータ読取手段が接続されて、当該データ記録手段に記録されたデータ又は当該データ読取手段に装着された記録媒体に記録されたデータに基づいて情報を表示することができるものであり、前記第２表示部にはデータ記録手段又はデータ読取手段が接続されて、当該データ記録手段に記録されたデータ又は当該データ読取手段に装着された記録媒体に記録されたデータに基づいて情報を表示することができるものであり、
第２表示部に表示される情報は、第１表示部に表示される情報に関連する情報であって、利用者入力検知部よる検知結果に基づいて情報が表示されることを特徴とする情報表示装置。
【請求項２】
第１表示部の大きさは第２表示部よりも大きく、第１表示部の位置は第２表示部よりも上方に位置し、第２表示部は複数設けられて横方向に配列していることを特徴とする請求項１に記載の情報表示装置。
【請求項３】
利用者入力検知部は第２表示部の画面の所定の位置に触れているかを検知するものであり、第２表示部の所定の範囲が触れたことを検知して、第２表示部に表示される情報を変更することができることを特徴とする請求項１又は２に記載の情報表示装置。
【請求項４】
第２表示部は下側が手前に張り出すように傾斜した傾斜部に設けられていることを特徴とする特徴とする請求項１〜３のいずれかに記載の情報表示装置。
【請求項５】
第１表示部によって表示される情報は動画情報であって、第１表示部には複数の種類の情報が順番に表示されるものであり、第１表示部に表示される各種類の情報について、第２表示部に詳細な情報の表示が可能であることを特徴とする請求項１〜４のいずれかに記載の情報表示装置。
【請求項６】
第２表示部に表示された内容を印刷することができる印刷部を有することを特徴とする請求項１〜５のいずれかに記載の情報表示装置。
【請求項７】
表示される情報に関連する者に対して、連絡可能な電話が設けられていることを特徴とする請求項１〜６のいずれかに記載の情報表示装置。
【請求項８】
利用者の移動端末のための充電器が設置されていることを特徴とする請求項１〜７のいずれかに記載の情報表示装置。
【請求項９】
利用者の移動端末と接続可能であり、所定の情報を前記移動端末に送信することができることを特徴とする請求項１〜８のいずれかに記載の情報表示装置。
【請求項１０】
請求項１〜９のいずれかに記載の情報表示装置と、情報表示装置のデータ記録手段と接続が可能なサーバとを有する情報表示システムであって、第１表示部に表示させるためのデータ又は第２表示部に表示させるためのデータを、前記サーバから前記データ記録手段へ送信することができることを特徴とする情報表示システム。
【請求項１１】
情報表示装置とサーバとは離れた場所に設置され、かつ、所定の回線によって接続されていることを特徴とする請求項１０に記載の情報表示システム。
【請求項１２】
複数の情報表示装置が同じ回線によって接続されていることを特徴とする請求項１１に記載の情報表示システム。
【請求項１３】
請求項１〜９のいずれかに記載の情報表示装置、又は、請求項１０〜１２のいずれかに記載の情報表示システムを用い、第１表示部及び第２表示部に情報を表示して行うことを特徴とする広告方法。
【発明の詳細な説明】
【技術分野】
【０００１】
本発明は、広告などに用いられる情報表示装置、情報表示システムに関するものであり、また、それらを用いた広告方法に関するものである。
【背景技術】
【０００２】
駅や空港などの輸送機関の施設など多くの人が集まる場所などに、情報を表示することが、従来より行われている。この情報としては、企業や商品の広告や、利用者のための情報などがある。
【０００３】
このような広告などは、絵や文字など静止画や、時間経過で変化する動画などが用いられている。
動画などを用いて情報を伝達する場合には、多くの情報量を表示できるため情報の伝達性に優れ、また、その動きによって利用者を引きつけることができる。また、同じ装置で種類の異なる複数の種類の情報を表示して、同じ場所で複数の広告をすることができる。
【０００４】
そして、動画の場合には、表示が変化する度合いを変えるなどにより、時間当たりの情報を多くすることもできる。なお、単位時間当たりの情報量を多くしすぎると、却って情報を受け取る側に十分な情報を伝達することができなくなってしまうので、一定時間当たりの情報の伝達量には限界がある。
【０００５】
一方で、利用者の必要な情報をその利用者が選択して取り出すことのできる広告方法が、特許文献１などに開示されている。
そして、特許文献１に記載の広告システムには、スケジューリングされたコンテンツの表示ができる情報発信機能と、利用者の操作でコンテンツをオンデマンド的に表示する情報発信機能を備えている。そして、利用者が操作することで、利用者ごとに個別に詳しい情報を伝達することができる。
【特許文献１】特開２００４−４５６１９号公報
【発明の開示】
【発明が解決しようとする課題】
【０００６】
しかしながら、特許文献１などに開示されている従来の広告システムでは、広告主などが発信する情報が、利用者へ効率的に伝達することができなかった。
例えば、特許文献１の図２などには、ニュース表示部、広告表示部、情報表示部が設けられている広告システムが開示されている。この広告システムのニュース表示部や広告表示部は、ニュースや広告を単に表示するものであり、また、情報表示部は利用者の選択によってその他の情報を表示するものである。そして、特許文献１の広告システムは、ニュース、広告、その他の情報を表示する機能を有するものを単に組み合わせたものである。
【０００７】
そして、特許文献１の広告システムでは、利用者の操作で表示することができる情報が、どのようなものであるかは操作しなければわからないので、利用者が必要とする情報や、利用者の有益な情報であるかどうかは操作するまでわからない。そのため、利用者の利用頻度が小さく、利用者の操作で表示する情報を利用者にほとんど伝えることができなかった。
【０００８】
一般に、有益な情報は利用者ごとに違うものであるが、特許文献１の広告システムのようにスケジューリングされた広告を単に表示するだけでは効率的な情報の伝達が難しい。また、詳しい情報を広告表示部に表示しようとすると、多くの種類の広告を短時間に表示することができなくなってしまい、効率的な情報の伝達ができなかった。
【０００９】
そこで、本発明は、必要な情報を利用者ごとに伝達することができ、効率的な情報の伝達が可能な情報表示装置を提供することを課題とする。
【課題を解決するための手段】
【００１０】
そして、上記した目的を達成するための請求項１に記載の発明は、第１表示部、第２表示部及び利用者入力検知部を有し、前記第１表示部にはデータ記録手段又はデータ読取手段が接続されて、当該データ記録手段に記録されたデータ又は当該データ読取手段に装着された記録媒体に記録されたデータに基づいて情報を表示することができるものであり、前記第２表示部にはデータ記録手段又はデータ読取手段が接続されて、当該データ記録手段に記録されたデータ又は当該データ読取手段に装着された記録媒体に記録されたデータに基づいて情報を表示することができるものであり、第２表示部に表示される情報は、第１表示部に表示される情報に関連する情報であって、利用者入力検知部よる検知結果に基づいて情報が表示されることを特徴とする情報表示装置である。
【００１１】
請求項１に記載の発明によれば、第１表示部にはデータ記録手段に記録された情報が表示され、第２表示部には第１表示部に表示される情報に関連する情報であって、利用者入力検知部よる検知結果に基づいて情報が表示されるので、第１表示部を見た利用者が第２表示部に関連する情報を表示させて詳しい情報を得ることができる。
【００１２】
請求項２に記載の発明は、第１表示部の大きさは第２表示部よりも大きく、第１表示部の位置は第２表示部よりも上方に位置し、第２表示部は複数設けられて横方向に配列していることを特徴とする請求項１に記載の情報表示装置である。
【００１３】
請求項２に記載の発明によれば、第１表示部の大きさは第２表示部よりも大きく、第１表示部の位置は第２表示部よりも上方に位置し、第２表示部は複数設けられて横方向に配列しているので、利用者が遠くにいても第１表示部を確認することができる。また、第２表示部は複数設けられているので、複数の利用者が同時に別の情報を表示させることができる。
【００１４】
請求項３に記載の発明は、利用者入力検知部は第２表示部の画面の所定の位置に触れているかを検知するものであり、第２表示部の所定の範囲が触れたことを検知して、第２表示部に表示される情報を変更することができることを特徴とする請求項１又は２に記載の情報表示装置である。
【００１５】
請求項４に記載の発明によれば、第２表示部の画面の所定の位置に触れているかを検知する利用者入力検知部によって表示の変更を行うことができるので、利用者の操作性がよい。
【００１６】
請求項４に記載の発明は、第２表示部は下側が手前に張り出すように傾斜した傾斜部に設けられていることを特徴とする特徴とする請求項１〜３のいずれかに記載の情報表示装置である。
【００１７】
請求項４に記載の発明によれば、第２表示部は下側が手前に張り出すように傾斜した傾斜部に設けられているので、利用者が第２表示部を確認しやすく、また、第２表示部の画面の所定の位置に触れやすく操作性がよい。
【００１８】
請求項５に記載の発明は、第１表示部によって表示される情報は動画情報であって、第１表示部には複数の種類の情報が順番に表示されるものであり、第１表示部に表示される各種類の情報について、第２表示部に詳細な情報の表示が可能であることを特徴とする請求項１〜４のいずれかに記載の情報表示装置である。
【００１９】
請求項５に記載の発明によれば、第１表示部によって表示される情報は動画情報であり、複数の種類の情報が順番に表示されるものであり、第２表示部には第１表示部に表示される各種類の詳細な情報の表示が可能であるので、利用者は第１表示部の表示を確認して、必要な情報があるかどうかを確認した後で、第２表示部に詳細な情報を表示を表示させることができる。
【００２０】
第２表示部に表示された内容を印刷することができる印刷部を有していてもよい（請求項６）。また、表示される情報に関連する者に対して、連絡可能な電話が設けられていてもよい（請求項７）。
【００２１】
さらに、利用者の移動端末のための充電器が設置されていてもよい（請求項８）。また、利用者の移動端末と接続可能であり、所定の情報を前記移動端末に送信することができるようにしてよい（請求項９）。
【００２２】
請求項１０に記載の発明は、請求項１〜９のいずれかに記載の情報表示装置と、情報表示装置のデータ記録手段と接続が可能なサーバとを有する情報表示システムであって、第１表示部に表示させるためのデータ又は第２表示部に表示させるためのデータを、前記サーバから前記データ記録手段へ送信することができることを特徴とする情報表示システムである。
【００２３】
請求項１０に記載の発明によれば、情報表示装置と情報表示装置のデータ記録手段と接続が可能なサーバとが接続され、データをデータ記録手段へ送信させることができるので、情報表示装置の表示内容の変更を容易に行うことができる。
【００２４】
請求項１１に記載の発明は、情報表示装置とサーバとは離れた場所に設置され、かつ、所定の回線によって接続されていることを特徴とする請求項１０に記載の情報表示システムである。
ここで、「回線によって接続されている」とは、常時接続されている必要はなく、必要な特に接続することができればよい。
【００２５】
請求項１１に記載の発明によれば、情報表示装置とサーバとは離れた場所に設置され、かつ、所定の回線に接続されているので、遠隔操作によって表示内容を変更することができる。
【００２６】
請求項１２に記載の発明は、複数の情報表示装置が同じ回線によって接続されていることを特徴とする請求項１１に記載の情報表示システムである。
【００２７】
請求項１２に記載の発明によれば、複数の情報表示装置が同じ回線によって接続されているので、同じサーバから表示のためのデータを送信して、表示内容の変更を行うことができる。
【００２８】
請求項１〜９のいずれかに記載の情報表示装置や、請求項１０〜１２のいずれかに記載の情報表示システムを用いて広告を行ってもよい（請求項１３）。
【発明の効果】
【００２９】
本発明の情報表示装置によれば、効率的に情報を伝達し、必要な情報を利用者ごとに伝達することができる
【発明を実施するための最良の形態】
【００３０】
以下さらに本発明の具体的実施例について説明する。図１は、本発明の実施形態における情報表示装置の斜視図である。図２は、本発明の実施形態における情報表示装置のブロック図である。図３は、本発明の実施形態における情報表示システムの接続状況を示した模式図である。図４〜図６は、第２表示部の表示内容を示した正面図である。
【００３１】
本発明の第１の実施形態の情報表示装置１は、図１に示されるように、筐体部１０、第１表示部１１、第２表示部１２、制御部１３、データ記録部１５及び利用者入力検知部１６が設けられている。
そして、第１表示部１１及び第２表示部１２は筐体部１０に取り付けられている。また、第１表示部１１及び第２表示部１２は外部に露出し、正面側（図１の右下側）から表示されている内容を確認することができる。また、制御部１３及びデータ記録部１５は筐体部１０の内部に配置されている。利用者入力検知部１６は第２表示部１２に設けられている。
【００３２】
筐体部１０は、図１に示されるように、正面側から見ると縦長の長方形状であり、正面側に２カ所の突出部１０ａ、１０ｂが設けられている。そして、突出部１０ａは上下方向の中央付近に位置しており、突出部１０ａには下側が手前に張り出すように傾斜した傾斜部４１が設けられている。そのため、突出部１０ａの上側から傾斜部４１を見ることができる。そして、傾斜部４１に第２表示部１２が設けられており、利用者は第２表示部１２の表示を確認する際に見やすい。
【００３３】
突出部１０ｂは筐体部１０の下端に位置しており、手前側に突出している。そして突出部１０ｂによって、筐体部１０の下端４２の幅を増大させ、情報表示装置１を設置する際に設置した状態で安定するようにしている。なお、図示していないが筐体部１０の裏側はほぼ平面状であり、壁などの前に情報表示装置１を設置しやすい。
【００３４】
筐体部１０の高さは２〜３ｍであり、筐体部１０の上側に配置される第１表示部１１が少し離れた場所からでも確認しやすい。また、筐体部１０の横幅は、１．５〜２ｍであり、情報表示装置１の前に３人横方向に並ぶことが可能な程度の幅である。また、筐体部１０の厚みは１００〜２００ｍｍ程度であり、情報表示装置１を設置する場合に邪魔になりにくい。
【００３５】
筐体部１０の正面の下側には蓋部４３が設けられている。蓋部４３は開閉が可能であり、蓋部４３を開けることによって、内部に設けられている制御部１３などの操作を行うことができる。
【００３６】
図１に示されるように、第１表示部１１の大きさは第２表示部１２よりも大きく、第１表示部１１の位置は第２表示部１２よりも上方に位置している。また、第２表示部１２は複数設けられて横方向に配列し、具体的には３カ所設けられている。
第１表示部１１及び第２表示部１２は液晶ディスプレイであり、第１表示部１１の大きさは４０インチのものが用いられ、第２表示部１２の大きさは１５インチのものが用いられ、第１表示部１１は第２表示部１２に比べてインチ数が大きい。なお、プラズマディスプレイなどの他のディスプレイも用いることができる。
【００３７】
図２に示されるように、制御部１３及びデータ記録部１５は、それぞれの表示部１１、１２ごとに設けられている。そして、第１表示部１１の表示には第１制御部１３ａと第１データ記録部１５ａが使用され、第２表示部１２の表示には第２制御部１３ｂと第２データ記録部１５ｂが使用される。
【００３８】
各制御部１３ａ、１３ｂは所定のプログラムが実行することができるコンピュータが用いられている。そして、第１制御部１３ａは、第１表示部１１及び第１データ記録部１５ａと接続されており、第１表示部１１は第１制御部１３ａを介して第１データ記録部１５ａと接続されている。また、第２制御部１３ｂは、第２表示部１２及び第２データ記録部１５ｂと接続されており、第２表示部１２は第２制御部１３ｂを介して第２データ記録部１５ｂと接続されている。
【００３９】
そして、各制御部１３ａ、１３ｂは、各データ記録部１５ａ、１５ｂに記録されているデータに基づいて、各表示部１１、１２で表示可能となるように変換することができる。このデータは、ＭＰＥＧ４形式で圧縮されたものを用いて、表示の際には表示可能な形式に変換される。また、データ記録部１５はハードディスクが用いられ、データの記録及び出力を行うことができる。なお、第１データ記録部１５ａや第２データ記録部１５ｂの代わりに、ＤＶＤなどの記録媒体と、この記録媒体の読み取り装置とによって構成することもできる。
【００４０】
利用者入力検知部１６は、直接指で触れて操作するポインティングデバイスであり、具体的にはタッチパネルが使用されており、３カ所の第２表示部１２にそれぞれ設けられている。そして、第２表示部１２に表示された画面の表示の対応する範囲に触れると利用者入力検知部１６によって検知し、その検知結果を第２制御部１３ｂに伝達して、第２表示部１２の表示を切り換える。このようにして、利用者は第２表示部１２の表示を利用者の求める表示に変更することができる。
【００４１】
情報表示装置１の第１表示部１１及び第２表示部１２には、データ記録部１５に記録された内容に基づく内容が表示されるが、この内容はどのような情報でもよく、使用目的に合わせた情報を表示させる。そして、第１表示部１１及び第２表示部１２には、複数の種類の情報を表示することができる。種類の異なる情報の例として、異なる企業の情報、異なる商品の情報などがある。また、１つの情報表示装置１で表示する情報を、商店街や所定の関連する企業などの関連する情報でもよく、また、一般の広告の様に、それぞれの情報の関連性がないものであってもよい。
【００４２】
そして、情報表示装置１の、第１表示部１１では複数の種類の情報を順番に表示することができる。これは、異なる種類の情報を所定の時間だけ順番に表示することにより、多くの種類の情報を伝達することができる。
複数の広告主の広告を第１表示部１１に順番に表示し、全ての種類の広告を表示し終わると、再び最初の広告を表示する。この広告に用いる情報は動画が用いられているので、より視覚に訴えることができる。また、この動画に合わせて音を出すこともでき、かかる場合には効果的に情報を伝達することができる。
【００４３】
第１表示部１１に表示する情報の時間は１社当たり２０秒程度であり、また、表示する広告主の数は６０社であるので、全ての広告の表示が一通り終わるのは２０分程度である。
なお、第１表示部１１に表示する情報の１社当たりの時間や、広告主の数は、必要に応じて変更することができる。
【００４４】
第１表示部１１に表示される１社当たりの広告が表示される時間は、後述する第２表示部１２で表示する動画に比べて短かくし、要約したものが用いられる。これは、第１表示部１１での情報の表示は、多くの種類の情報を表示させて情報を見た者が表示された情報の中に必要な情報や有益な情報が有るかどうかを判断するものであり、第２表示部１２での情報の表示は、第１表示部１１を見た上で、必要な情報について詳しい情報を得るために表示されるからである。
【００４５】
第２表示部１２では、図４〜図６に示されるような表示が行われる。
上記した広告主の広告は分類されており、利用者が必要な情報を確認しやすくなっている。初期状態では、メインメニュー５０が表示されており、各分類が表示されている。利用者がメインメニュー５０のいずれかの分類を選択し、その分類の部分を触れると、上記したように利用者入力検知部１６による検知により、表示が切り替わって図４に示されるような表示となり、サブメニュー５１が表示される。
【００４６】
サブメニュー５１は各店の写真と紹介文が表示されたものであり、利用者はこれを見て目的のものかどうかを確認する。そして、目的の店を選択し、その店の部分を触れると、利用者入力検知部１６による検知により、表示が切り替わる。
目的の店の部分を触れると、図５に示されるように、静止画部５２、動画部５３、店別メニュー５４が表示され、動画部５３の動画が始まる。この動画は、第１表示部１１で表示されている同じ店の内容の動画の内容をさらに詳しい情報を表示するものであり、この動画の広告が表示される時間は１．５〜３分程度であり、利用者はより詳しい情報を得ることができる。また、動画に合わせて音を出すこともできる。
【００４７】
静止画部５２は、店の外観、商品の写真、店の地図、価格表、店内の様子などの情報を表示することができる部分である。この静止画部５２の切り換えは、店別メニュー５４を選択することによって行われる。
また、商品の写真など同じ項目で表示したい静止画が複数ある場合には、図５、図６に示されるように、縮小した表示であるサムネイル表示で複数の静止画を同時に示すようにして、さらに、利用者が選択して表示させることもできる。
【００４８】
なお、利用者が操作を間違えた場合や、利用者が操作の途中で必要でない情報と判断した場合には、メインメニュー５０を触れることにより、表示を切り換えることができる。
【００４９】
本実施形態の情報表示装置１では、第２表示部１２が横方向に３カ所設けられているので、３人までの利用者が、第２表示部１２に表示される別の情報を同時に確認することができる。したがって、利用者が詳しい情報を得るための待ち時間を短くすることができる。また、情報表示装置１の筐体部１０の横幅が、情報表示装置１の前に３人横方向に並ぶことが可能な程度の幅であるので、利用者は横の利用者と離れにくく操作しやすい。
【００５０】
第１表示部１１及び第２表示部１２の表示及びその切換は上記のように行うことができるので、利用者は、第１表示部１１に表示された内容を確認した後、その中で必要な情報や有用な情報がある場合に、第２表示部１２に情報を表示させて詳しい情報を得ることができる。したがって、広告主にとってはより詳しい情報を、その情報が必要と思われる利用者に伝達することができる。
【００５１】
第１表示部１１及び第２表示部１２に表示する内容は、必要に応じて変更することができる。この変更は、各データ記録部１５ａ、１５ｂに記録されているデータを変更して行われる。
【００５２】
このデータの書き換えは、公衆回線やインターネット回線などを用いて、離れた場所から行うことができる。例えば、図３に示されるように、情報表示装置１と、情報表示装置１とは離れた場所に設けられたサーバ７１を有する情報表示システム５を構築する。
そして、図２に示されるように、情報表示装置１のそれぞれの制御部１３がハブやルータなどの接続機器３０に接続され、さらに、接続機器３０とインターネット回線７０とが接続されている。また、サーバ７１がインターネット回線７０に接続されている。
【００５３】
図３に示されるように、複数のサーバ７１がインターネット回線７０に接続され、また、複数の情報表示装置１がインターネット回線７０に接続されている。したがって、１つのサーバ７１が複数の情報表示装置１に対してデータを送信することもでき、また、１つの情報表示装置１に複数のサーバ７１が送信することができる。
なお、情報表示システム５に使用される回線は、他の公衆回線、専用回線等も用いることができ、また、回線の種類は有線であっても無線であってもよい。
【００５４】
そして、サーバ７１に保存されている新たなデータを、インターネット回線７０から接続機器３０を介して、それぞれのデータ記録部１５に送信して、元のデータを新たなデータに書き換える。この書き換え作業を、情報表示装置１による表示を行わない時間に行うことにより、第１表示部１１及び第２表示部１２の表示を中断させることなく行うことができる。
【００５５】
また、この情報表示システム５では、情報表示装置１を異なる場所に複数設置して、同じ回線に接続されているので、同じ情報を表示する場合には、同じサーバ７１から同じデータを複数の情報表示装置１に送信することにより、効率よく内容を変更することができる。
さらに、複数のサーバ７１が同じ回線に接続されているので、いずれかのサーバが使用できなくなった場合でも、情報表示装置１による表示内容の変更を行うことができる。
【００５６】
なお、データ記録部１５の代わりに、読み取り装置が設けられ、ＤＶＤなどの記録媒体に記録されているデータを用いて第１表示部１１及び第２表示部１２に表示している場合には、元のデータが記録されている記録媒体を取り出して、新たなデータが記録されている記録媒体を入れることによっても表示内容を変えることができる。
【００５７】
上記した実施形態では、第２表示部１２は３カ所設けられているが、利用者の利用状況に応じて変更することができ、１カ所や２カ所でもよく、４カ所以上でも良い。また、第１表示部１１と第２表示部１２とを離れた位置に設けることもできる。
【００５８】
情報表示装置１の電源のオンオフを自動的に行うようにしてもよい。また、サーバ７１からデータの送信をタイムスケジュール化して自動的に行うようにしてもよい。
【００５９】
なお、情報表示装置１に印刷部を設けて、表示された情報の印刷を可能としてもよい。具体的には、第２表示部１２に表示された内容をプリンターなどの印刷部を用いて紙などに印刷する。かかる場合には、利用者が情報の印刷物を見ることによりその情報を再び確認することができる。さらに、この印刷物を割引券などのクーポン券などとして使用できるようにしてもよい。
【００６０】
また、表示部１１、１２に２次元コードの一種であるＱＲコードを表示することもできる。そして、広告主のインターネットアドレスなどの所定の情報をＱＲコード化して、表示部１１、１２に表示し、携帯電話などに搭載されているカメラ及び解析装置によって、前記広告主のインターネットアドレスなどの所定の情報を携帯電話に取り込むことができる。
【００６１】
また、情報表示装置１に電話を設けることができる。そして、この電話により広告主の店などに直接連絡できるようにして、予約などができるようにすることもできる。さらに、第２表示部１２に表示されている部分に触れることによって電話番号を自動的に入力し、利用者が電話番号の入力を省略して広告主に電話することができる。
【００６２】
さらに、情報表示装置１に携帯電話やＰＨＳなどの移動端末ための充電器を設けることができる。この充電器は急速に充電器できる急速充電器を用いることができる。かかる場合には、利用者が第２表示部１２に表示させている時間を利用して充電を行うことができる。
また、この移動端末と、情報表示装置１との間でデータの送受信を可能とすることもできる。そして、利用者の必要な情報を移動端末側に送信して、利用者が移動端末の表示部に必要な情報を表示することができる。
【００６３】
また、情報表示装置１に用いる表示用のデータは、インターネットのＷＥＢサイトで表示するためのデータと共通なデータとすることができる。なお、この場合には、利用者が操作する部分などの一部を変更してもよい。
【００６４】
上記した実施形態では、情報表示装置１を用いて広告する方法の一例について説明したが、情報表示装置１は上記内容に限らず他の用途にも使用することができる。
例えば、証券会社では株の売買などを窓口で行っているが、証券会社に情報表示装置１を設置し、第１表示部１１に株価などの情報を表示し、客が第２表示部１２の操作によって株の売買を行うようにしてもよい。
また、接客業の担当者のＰＲ用の情報を第１表示部１１、第２表示部１２に表示し、利用者が店に行く前に、その店にどのような担当者がいるかどうかを知ることができるようにしても良い。
【００６５】
さらに、上記の情報表示装置１や情報表示システム５は、学校などにも設置して用いることができる。例えば、情報表示装置１を教室などに設置し、生徒を指導するために実技などを動画を、表示部１１、１２に表示させることができるようにしておく。そして、先生や講師などが必要な動画を選択して第１表示部１１に表示させて授業などを行う。また、生徒が見たい動画がある場合には、利用者入力検知部１６などを操作して、第２表示部１２にかかる動画を表示して実技などを見ることができる。
このような、実技の例として、理容学校や美容学校における調髪の実技や、料理学校における調理の実技などがある。
【００６６】
また、企業の情報を表示部１１、１２に表示することができるようにしてもよい。この場合には、生徒などが、就職などのため企業を調べる際に用いることができる。
【図面の簡単な説明】
【００６７】
【図１】本発明の実施形態における情報表示装置の斜視図である。
【図２】本発明の実施形態における情報表示装置のブロック図である。
【図３】本発明の実施形態における情報表示システムの接続状況を示した模式図である。
【図４】第２表示部の表示内容を示した正面図である。
【図５】第２表示部の表示内容を示した正面図である。
【図６】第２表示部の表示内容を示した正面図である。
【符号の説明】
【００６８】
１      情報表示装置
５      情報表示システム
１１    第１表示部
１２    第２表示部
１６    利用者入力検知部
１３    制御部
１３ａ  第１制御部
１３ｂ  第２制御部
１５    データ記録部
１５ａ  第１データ記録部
１５ｂ  第２データ記録部
１６    利用者入力検知部
４１    傾斜部
【図１】
2005338743.tif 000003
【図２】
2005338743.tif 000004
【図３】
2005338743.tif 000005
【図４】
2005338743.tif 000006
【図５】
2005338743.tif 000007
【図６】
2005338743.tif 000008